(57)【要約】    【課題】グリップの所期の機能が損なわれた場合にこれを簡単に修復することができると共に、資源保護及びゴミ削減に資する釣具用グリップ構造の提供。    【解決手段】このグリップ１３は、撒き餌用柄杓１０に適用される。グリップ１３は、柄部１１の後端部に嵌め込まれたグリップ本体１５と、柄部１１に設けられたグリップリング１６と、柄部１１の後端にねじ込まれる尻栓１７とを有する。グリップリング１６は、爪２５、２６を有する。この爪２５、２６は、グリップ本体１５の前面２７に突き刺さり、グリップ本体１５の位置決めをする。尻栓１７は、グリップリング１６と協働してグリップ本体１５を挟持する。【選択図】図２
2005269989.tif 000002
【特許請求の範囲】
【請求項１】
発泡樹脂、コルク又はゴムからなるグリップ本体が釣具の所定部に外嵌されており、釣具に設けられた位置決め部材がグリップ本体に連結されることによって当該グリップ本体の位置決めがなされ、且つ位置決め部材と協働してグリップ本体を当該釣具に固定する固定部材が当該釣具に着脱自在に取り付けられている釣具用グリップ構造。
【請求項２】
上記位置決め部材は複数の刺針を有し、当該刺針がグリップ本体に刺し込まれており、上記固定部材は、上記釣具に螺合されている請求項１に記載の釣具のグリップ構造。
【請求項３】
細長棒状の柄部と、柄部の先端に設けられたカップと、柄部の後端部に設けられたグリップとを有し、
当該グリップは、
発泡樹脂、コルク又はゴムからなり、柄部の後端部に外嵌された筒状のグリップ本体と、
柄部に設けられ、グリップ本体の先端部と係合することによってグリップ本体を位置決めする位置決め部材と、
柄部の後端に着脱自在に取り付けられ、位置決め部材と協働してグリップ本体を挟持固定する固定部材とを備えた撒き餌用柄杓。
【請求項４】
上記位置決め部材は複数の刺針を有し、当該刺針がグリップ本体の先端部に刺し込まれており、上記固定部材は、上記柄部の後端に螺合されている請求項３に記載の撒き餌用柄杓。
【請求項５】
釣竿本体と、釣竿本体の後端部に設けられたグリップとを有し、
当該グリップは、
発泡樹脂、コルク又はゴムからなり、釣竿本体の後端部に外嵌された筒状のグリップ本体と、
釣竿本体に設けられ、グリップ本体の先端部と係合することによってグリップ本体を位置決めする位置決め部材と、
釣竿本体の後端に着脱自在に取り付けられ、位置決め部材と協働してグリップ本体を挟持固定する固定部材とを備えた釣竿。
【請求項６】
上記位置決め部材は複数の刺針を有し、当該刺針がグリップ本体の先端部に刺し込まれており、上記固定部材は、上記釣竿本体の後端に螺合された尻栓によって構成されている請求項５に記載の釣竿。
【請求項７】
柄本体と、柄本体の後端部に設けられたグリップとを有し、
当該グリップは、
発泡樹脂、コルク又はゴムからなり、柄本体の後端部に外嵌された筒状のグリップ本体と、
柄本体に設けられ、グリップ本体の先端部と係合することによってグリップ本体を位置決めする位置決め部材と、
柄本体の後端に着脱自在に取り付けられ、位置決め部材と協働してグリップ本体を挟持固定する固定部材とを備えたタモの柄。
【請求項８】
上記位置決め部材は複数の刺針を有し、当該刺針がグリップ本体の先端部に刺し込まれており、上記固定部材は、上記柄本体の後端に螺合された尻栓によって構成されている請求項７に記載のタモの柄。
【発明の詳細な説明】
【技術分野】
【０００１】
本発明は、釣竿、タモの柄、撒き餌用柄杓、撒き餌ミキサー等の釣具に採用されるグリップの構造に関するものである。
【背景技術】
【０００２】
釣竿、タモの柄、撒き餌用柄杓、撒き餌ミキサー等の釣具は、釣人が把持し操作するものである。したがって、釣人にとって釣具の握りやすさは、当該釣具の使い勝手に大きな影響を与えるものであり、そのため、一般に釣具にはグリップが設けられており、その形状も種々考案されている（例えば、非特許文献１参照）。
【０００３】
【非特許文献１】株式会社シマノ  ２００４  Fishing Tackle Catalogue（第４５頁〜第５０頁、第６７頁〜第７４頁、第８１頁〜第９６頁、第２００頁〜第２０１頁）
【発明の開示】
【発明が解決しようとする課題】
【０００４】
グリップは、釣人によって常に把持される部分であるから、他の部分に比べて経年劣化が著しい。例えば、特に撒き餌用柄杓では、グリップが変形したり、損傷を受けたりすることが多いが、その場合には、当該撒き餌用柄杓の釣具としての機能が損なわれる。そのため、釣人は、グリップに補強テープを巻き付ける等の修繕を施すか、あるいはこの撒き餌用柄杓を廃棄せざるを得なかった。
【０００５】
しかし、修繕された釣具では釣具としての所期の機能が達成されない場合も多く、また、グリップ等の破損のみを理由に当該釣具を廃棄することは、資源保護、ゴミ問題の観点から好ましいことではない。
【０００６】
そこで、本発明の目的は、グリップの所期の機能が損なわれた場合にこれを簡単に修復することができると共に、資源保護及びゴミ削減に資する釣具用グリップ構造を提供することである。
【課題を解決するための手段】
【０００７】
(1) 上記目的が達成されるため、本発明に係る釣具用グリップ構造は、発泡樹脂、コルク又はゴムからなるグリップ本体が釣具の所定部に外嵌され、釣具に設けられた位置決め部材がグリップ本体に連結されることによって当該グリップ本体の位置決めがなされ、且つ位置決め部材と協働してグリップ本体を当該釣具に固定する固定部材が当該釣具に着脱自在に取り付けられていることを特徴とするものである。
【０００８】
この構成によれば、釣具に嵌め込まれたグリップ本体は、位置決め部材によって位置決めされる。これにより、グリップ本体は釣具に対して予められた位置に正確に配置されると共に、釣具に対するグリップ本体の回転が防止される。また、グリップ本体は、上記位置決め部材と固定部材とによって、当該釣具に固定される。したがって、釣人は、グリップ本体を把持して当該釣具を操作することができる。固定部材が釣具から取り外されることによって、グリップ本体と釣具との固定が解除される。これにより、グリップ本体は、釣具から取り外される。
【０００９】
上記位置決め部材は、複数の刺針が備えられているのが好ましい。この場合、当該刺針は、グリップ本体に刺し込まれる。また、上記固定部材は、上記釣具に螺合されているのが好ましい。
【００１０】
この構成では、グリップ本体が位置決め部材によって規定される所定位置に配置されたときは、刺針がグリップ本体に刺し込まれる。したがって、グリップ本体の位置決めが容易且つ確実に行われる。また、固定部材が上記釣具に螺合されることによって、固定部材の着脱作業がきわめて簡単である。
【００１１】
(2) 上記目的が達成されるため、本発明に係る撒き餌用柄杓は、細長棒状の柄部と、柄部の先端に設けられたカップと、柄部の後端部に設けられたグリップとを有し、当該グリップは、発泡樹脂、コルク、又はゴムからなり、柄部の後端部に外嵌された筒状のグリップ本体と、柄部に設けられ、グリップ本体の先端部と係合することによってグリップ本体を位置決めする位置決め部材と、柄部の後端に着脱自在に取り付けられ、位置決め部材と協働してグリップ本体を挟持固定する固定部材とを備えたことを特徴とするものである。
【００１２】
この構成によれば、グリップ本体は、柄部の後端部に嵌め込まれる。この場合、柄部は、長手方向にスライドしながらグリップ本体の内部に収容される。柄部に設けられた位置決め部材は、当該柄部に嵌め込まれたグリップ本体の先端部と係合する。これにより、グリップ本体は、柄部に位置決めされる。したがって、グリップ本体は柄部に対して予められた位置に正確に配置されると共に、柄部に対するグリップ本体の回転が防止される。また、固定部材が柄部の後端に取り付けられることによって、グリップ本体は、固定部材と上記位置決め部材とによって、当該柄部に固定される。したがって、釣人は、グリップ本体を把持して当該撒き餌用柄杓を操作することができる。固定部材が柄部から取り外されることによって、グリップ本体は、柄部から抜き取られる。
【００１３】
上記位置決め部材は、複数の刺針が備えられているのが好ましい。この場合、当該刺針は、グリップ本体の先端部に刺し込まれる。また、上記固定部材は、上記柄部の後端に螺合されているのが好ましい。
【００１４】
この構成では、グリップ本体が柄部に嵌め込まれ、位置決め部材によって規定される所定位置に配置されたときは、刺針がグリップ本体に刺し込まれる。したがって、グリップ本体の位置決めが容易且つ確実に行われる。また、固定部材が上記柄部に螺合されることによって、固定部材の着脱作業がきわめて簡単である。
【００１５】
(3) 上記目的が達成されるため、本発明に係る釣竿は、釣竿本体と、釣竿本体の後端部に設けられたグリップとを有し、当該グリップは、発泡樹脂、コルク又はゴムからなり、釣竿本体の後端部に外嵌された筒状のグリップ本体と、釣竿本体に設けられ、グリップ本体の先端部と係合することによってグリップ本体を位置決めする位置決め部材と、釣竿本体の後端に着脱自在に取り付けられ、位置決め部材と協働してグリップ本体を挟持固定する固定部材とを備えたことを特徴とするものである。
【００１６】
この構成によれば、グリップ本体は、釣竿本体の後端部に嵌め込まれる。この場合、釣竿本体は、長手方向にスライドしながらグリップ本体の内部に収容される。釣竿本体に設けられた位置決め部材は、当該釣竿本体に嵌め込まれたグリップ本体の先端部と係合する。これにより、グリップ本体は、釣竿本体に位置決めされる。したがって、グリップ本体は釣竿本体に対して予められた位置に正確に配置されると共に、釣竿本体に対するグリップ本体の回転が防止される。また、固定部材が釣竿本体の後端に取り付けられることによって、グリップ本体は、固定部材と上記位置決め部材とによって、当該釣竿本体に固定される。したがって、釣人は、グリップ本体を把持して当該釣竿を操作することができる。固定部材が釣竿本体から取り外されることによって、グリップ本体は、釣竿本体から抜き取られる。
【００１７】
上記位置決め部材は、複数の刺針が備えられているのが好ましい。この場合、当該刺針がグリップ本体の先端部に差し込まれる。上記固定部材は、上記釣竿本体の後端に螺合された尻栓によって構成されるのが好ましい。
【００１８】
この構成では、グリップ本体が釣竿本体に嵌め込まれ、位置決め部材によって規定される所定位置に配置されたときは、刺針がグリップ本体に刺し込まれる。したがって、グリップ本体の位置決めが容易且つ確実に行われる。また、釣竿本体に設けられる尻栓が固定部材を兼ねるから、固定部材を別部材として特に設ける必要はない。しかも、尻栓は、釣竿本体に螺合されるから、尻栓、すなわち固定部材の着脱作業がきわめて簡単である。
【００１９】
(4) 上記目的が達成されるため、本発明に係るタモの柄は、柄本体と、柄本体の後端部に設けられたグリップとを有し、当該グリップは、発泡樹脂、コルク又はゴムからなり、柄本体の後端部に外嵌された筒状のグリップ本体と、柄本体に設けられ、グリップ本体の先端部と係合することによってグリップ本体を位置決めする位置決め部材と、柄本体の後端に着脱自在に取り付けられ、位置決め部材と協働してグリップ本体を挟持固定する固定部材とを備えたことを特徴とするものである。
【００２０】
この構成によれば、グリップ本体は、柄本体の後端部に嵌め込まれる。この場合、柄本体は、長手方向にスライドしながらグリップ本体の内部に収容される。柄本体に設けられた位置決め部材は、当該柄本体に嵌め込まれたグリップ本体の先端部と係合する。これにより、グリップ本体は、柄本体に位置決めされる。したがって、グリップ本体は柄本体に対して予められた位置に正確に配置されると共に、柄本体に対するグリップ本体の回転が防止される。また、固定部材が柄本体の後端に取り付けられることによって、グリップ本体は、固定部材と上記位置決め部材とによって、当該柄本体に固定される。したがって、釣人は、グリップ本体を把持して当該タモの柄を操作することができる。固定部材が柄本体から取り外されることによって、グリップ本体は、柄本体から抜き取られる。
【００２１】
上記位置決め部材は、複数の刺針が備えられているのが好ましい。この場合、当該刺針がグリップ本体の先端部に差し込まれる。上記固定部材は、上記柄本体の後端に螺合された尻栓によって構成されるのが好ましい。
【００２２】
この構成では、グリップ本体が柄本体に嵌め込まれ、位置決め部材によって規定される所定位置に配置されたときは、刺針がグリップ本体に刺し込まれる。したがって、グリップ本体の位置決めが容易且つ確実に行われる。また、柄本体に設けられる尻栓が固定部材を兼ねるから、固定部材を別部材として特に設ける必要はない。しかも、尻栓は、柄本体に螺合されるから、尻栓、すなわち固定部材の着脱作業がきわめて簡単である。
【発明の効果】
【００２３】
本発明によれば、グリップ本体は釣具から取り外されるようになっているため、釣人は、グリップ本体が劣化した場合に、グリップ本体を釣具から取り外し、新品と交換することができる。換言すれば、釣人は、グリップ本体の所期の機能が損なわれた場合にこれを簡単に修復することができる。また、釣人は、仕様の異なる複数のグリップ本体を備えておけば、グリップ本体を交換することによって、自己の所望する握り心地のグリップを構成することができる。さらに、グリップ本体が損傷を受けた場合には、当該グリップ本体のみが廃棄されるので、本発明は、資源保護及びゴミ削減に資することになる。
【発明を実施するための最良の形態】
【００２４】
以下、適宜図面が参照されつつ、好ましい実施形態に基づいて本発明が詳細に説明される。
【００２５】
＜第１の実施形態＞
図１は、本発明の第１の実施形態に係る撒き餌用柄杓の正面図である。
【００２６】
この撒き餌用柄杓１０は、釣人が撒き餌を海中等に投入するために使用されるものであって、柄部１１と、カップ１２とグリップ１３とを有する。柄部１１は、細長円筒状に形成されている。柄部１１は、例えば繊維強化樹脂や金属により構成される。本実施形態では、柄部１１にテーパが形成されているが、柄部１１は真直な筒状に形成されていてもよい。柄部１１の後端部の内壁面には、後述される雌ねじ部１４（図２参照）が形成されている。また、カップ１２は、柄部１１の先端部に固定されている。カップ１２の材質及び形状は特に限定されるものではないが、釣人が撒き餌を収容しやすく、且つ当該撒き餌がカップ１２から容易に離れることができるように、カップ１２の内壁面形状が設定され、材料が選定されている。
【００２７】
図２及び図３は、撒き餌用柄杓１０の後端部の拡大分解斜視図である。
グリップ１３は、グリップ本体１５と、グリップリング１６（位置決め部材）と、尻栓１７（固定部材）とを備えている。
【００２８】
グリップ本体１５は、円筒状に形成されている。グリップ本体１５は、釣人が把持する部分である。釣人がグリップ本体１５を握った際に手が滑らないように、また握り心地が良いように、グリップ本体１５の外周面１８には、溝１９が形成されている。もっとも、この溝１９は省略されていてもよい。
【００２９】
グリップ本体１５の外形形状は、円筒状に限定されるものではなく、撒き餌用柄杓１０の仕様（例えばコントロール性、遠投性等）に応じて好適な形状に形成され得る。また、本実施形態では、グリップ本体１５は、発泡倍率が１〜１０倍のエチレン酢酸ビニル共重合体（ＥＶＡ）、クロロスルホン化ポリエチレン等から構成されている。グリップ本体１５の材質は、これに限定されるものではなく、他の発泡樹脂（典型的には発泡ウレタン）、コルク、ゴム等が採用され得る。
【００３０】
図２が示すように、グリップ本体１５の内径寸法は、柄部１１の後端部の外径寸法に対応されている。したがって、柄部１１は、長手方向に沿って隙間無くグリップ本体１５に挿入されている。柄部１１は、図３が示すように、その後端２０がグリップ本体１５の後端２１と同一平面上に配置されるまで挿入される。前述のように、柄部１１の後端部の内壁面には雌ねじ１４が形成されている。したがって、柄部１１にグリップ本体１５が嵌め込まれると、この雌ねじ１４が露出する。
【００３１】
グリップリング１６は、樹脂、金属等により構成されており、その外形形状は、図２が示すように略錐体を呈する。具体的には、グリップリング１６は、小径頂部２２と大径底部２３とを有し、小径頂部２２と大径底部２３とが滑らかな曲面で連続されている。グリップリング１６の中央には、軸方向に沿って貫通孔が設けられている。この貫通孔の内径寸法は上記柄部１１の外径寸法に対応されており、グリップリング１６は、柄部１１に隙間無く嵌め込まれている。グリップリング１６は、柄部１１の後端部所定位置に、例えば接着剤等により固着されている。
【００３２】
上記大径底部２３の底面２４には、爪２５、２６（刺針）が立設されている。これら爪２５、２６は、グリップリング１６と一体的に形成されており、グリップリング１６の軸方向に沿って（すなわち柄部１１の長手方向に沿って）後方へ突出している。本実施形態では、爪２５及び爪２６は、それぞれ一対設けられており、一対の爪２５は、グリップリング１６の中心に対して対称に配置されている。また、一対の爪２６もグリップリング１６の中心に対して対称に配置されているが、爪２５に対して９０°（ｄｅｇｒｅｅ）ずれた位置に配置されている。なお、爪２５、２６の数量については、何ら限定されるものではない。
【００３３】
これら各爪２５、２６は、同一の形状であって楔形に形成されている。爪２５、２６の形状は楔形に限定されるものではないが、鋭利な形状に形成されるのが好ましい。グリップ本体１５が柄部１１に嵌め込まれると、グリップ本体１５の前面２７（先端部）に爪２５、２６が相対的に押し付けられる。本実施形態では、グリップ本体１５は、上記材料から構成されているので、爪２５、２６は、グリップ本体１５の前面２７に突き刺さり、且つ当該前面２７は、グリップリング１６の底面２４に当接する。これにより、グリップ本体１５は、柄部１１の所定位置に正確に配置され、且つ柄部１１に対して相対的に回転することが防止される。つまり、グリップ本体１５は、柄部１１に対して位置決めされる。
【００３４】
尻栓１７は、金属により構成されている。尻栓１７は、小径部２８及び大径部２９と、リング３０とを備えている。小径部２８は、円柱状に形成されており、その外径寸法は、柄部１１の後端部の内径寸法に対応されている。この小径部２８の外周面には雄ねじ３１が形成されており、これにより小径部２８は、柄部１１の後端部に螺合することができる（図３参照）。つまり、尻栓１７は、柄部１１にねじ込まれるようになっている。
【００３５】
大径部２９は、小径部２８の後端に一体的に形成されており、その周面には、ローレット３２が形成されている。大径部２９の外径寸法は、グリップ本体１５の外径寸法に対応されており、したがって、尻栓１７が柄部１１にねじ込まれたときは、大径部２９の外周面は、グリップ本体１５の外周面と滑らかに連続する。大径部２９は、釣人が尻栓１７を柄部１１にねじ込む際に手で把持する部分である。大径部２９にローレット３２が設けられていることにより、釣人は、尻栓１７を確実に柄部１１にねじ込むことができる。
【００３６】
尻栓１７が柄部１１にねじ込まれると、大径部２９がグリップ本体１５の後端２１に当接し、グリップ本体１５は、グリップリング１６と尻栓１７との間に挟み込まれる。すなわち、グリップリング１６と尻栓１７とが協働してグリップ本体１５を挟持固定する。これにより、グリップ本体１５は、柄部１１の後端部に確実に固定される。
【００３７】
また、図３が示すように、大径部２９にはリング取付部３３が突設されている。リング取付部３３は、円柱状に形成されており、大径部２９と一体的に形成されている。このリング取付部３３には、径方向に沿って貫通孔が設けられており、この貫通孔に上記リング３０が挿通されている。このリング３０は、金属又は樹脂により構成され、紐等が連結されるようになっている。
【００３８】
この撒き餌用柄杓１０では、グリップ本体１５が柄部１１に嵌め込まれ、柄部１１に設けられたグリップリング１６によってグリップ本体１５の位置決めがなされると共に尻栓１７とグリップリング１６とが協働してグリップ本体１５を固定する構造が採用されている。しかも、尻栓１７は、柄部１１にねじ込まれているので、釣人は、所要時に尻栓１７を簡単に取り外すことができる。尻栓１７が柄部１１から取り外されることによって、グリップ本体１５は、柄部１１に対して後方へスライドすることができ、簡単に柄部１１から抜き取られる。
【００３９】
したがって、釣人は、グリップ本体１５が劣化した場合等に、撒き餌用柄杓１０を廃棄することなく、グリップ本体１５のみを新品と交換することができる。また、釣人は、仕様の異なる複数のグリップ本体を備えておけば、グリップ本体を交換することによって、自己の所望する握り心地のグリップを構成することができる。
【００４０】
特に、本実施形態では、上記グリップリング４１は、爪２５、２６を備えているので、これら爪２５、２６がグリップ本体１５に突き刺さることによって、グリップ本体１５の位置決めがきわめて容易に且つ確実に行われるという利点がある。また、グリップ本体１５を柄部１１に固定するための尻栓１７は、柄部１１に螺合する構造が採用されているので、尻栓１７の着脱作業もきわめて簡単であるという利点もある。
【００４１】
図４は、本実施形態の変形例に係る撒き餌用柄杓４０の要部拡大分解斜視図である。同図では、グリップリング４１とグリップ本体４２との連結部分が図示されている。
【００４２】
本変形例に係る撒き餌用柄杓４０が上記撒き餌用柄杓１０と異なるところは、上記撒き餌用柄杓１０は楔形の爪２５、２６を有し、これら爪２５、２６がグリップ本体１５に突き刺さるようになっていたのに対し（図２参照）、本変形例に係る撒き餌用柄杓４０では、グリップリング４１の底面２４にが係止ピン４３が突設されており、この係止ピン４３がグリップ本体１５の前面２７に設けられた係合孔４４に嵌め込まれるようになっている点である。なお、その他の構成については、上記撒き餌用柄杓１０と同様である。
【００４３】
本変形例では、上記係止ピン４３が上記係合孔４４に嵌め込まれることによって、グリップ本体４２が位置決めされる。本変形例では、係止ピン４３は２本設けられ、これに対応して上記係合孔４４も２つ設けられているが、係止ピン４３及び係合孔４４の数量は、特に限定されるものではない。なお、本実施形態及び変形例では、上記爪２５、２６又は係止ピン４３によって上記グリップ本体１５、４２の柄部１１に対する回転規制が行われるが、これら爪２５、２６及び係止ピン４３に代えて、他の回転規制手段が採用されてもよいことは勿論である。
【００４４】
＜第２の実施形態＞
次に、本発明の第２の実施形態について説明される。
図５は、本発明の第２の実施形態に係る釣竿の正面図である。この釣竿５０は、磯釣用として構成されている。もっとも、本発明は、磯釣用の釣竿にのみ適用されるものではなく、広く釣竿一般に適用され得るものである。
【００４５】
釣竿５０は、細長円筒状に形成された「節」と称される部材を複数備えている。この釣竿５０は、第１番節５１〜第５番節５５を有する。各節５１〜５５は釣竿本体を構成し、これらは、振出式に組み立てられている。第５番節５５には、釣用リールが装着されるリールシート部５６が設けられている。また、この釣竿５０は中通しタイプであり、釣用リールから繰り出される釣糸は、釣糸導入部５７から釣竿５０の内部に挿通されるようになっている。なお、この釣竿５０では、第４番節５４が第５番節５５に対して伸縮するズーム機構が搭載されている。もっともこのズーム機構は任意的なものであって、当該機構は省略される場合もある。
【００４６】
図６は、釣竿５０の後端部の拡大分解斜視図である。
釣竿５０の第５番節５５の後端部にはグリップ５８が設けられている。グリップ５８は、グリップ本体５９と、グリップリング６０（位置決め部材）と、尻栓６１（固定部材）とを備えている。
【００４７】
グリップ本体５９は、円筒状に形成されている。グリップ本体５９は、釣人が把持する部分である。本実施形態では、グリップ本体５９の外周面は一様な曲面に形成されているが、釣人がグリップ本体５９を握った際に手が滑らないように、また握り心地が良いように、グリップ本体５９の外周面６２にローレットや溝が形成されていてもよい。なお、グリップ本体５９の外形形状は、釣人にとって把持しやすいものであれば、他の形状が採用され得る。
【００４８】
本実施形態では、グリップ本体５９は、発泡倍率が１〜１０倍のエチレン酢酸ビニル共重合体（ＥＶＡ）、クロロスルホン化ポリエチレン等からから構成されている。グリップ本体５９の材質は、これに限定されるものではなく、他の発泡樹脂（典型的には発泡ウレタン）、コルク、ゴム等が採用され得る。
【００４９】
同図が示すように、グリップ本体５９の内径寸法は、第５番節５５の後端部の外径寸法に対応されている。したがって、第５番節５５は、長手方向に沿って隙間無くグリップ本体５９に挿入されている。第５番節５５は、その後端６３がグリップ本体５９の後端と同一平面上に配置されるまで挿入される。第５番節５５の後端部の内壁面には雌ねじ６４が形成されている。したがって、第５番節５５にグリップ本体５９が嵌め込まれると、この雌ねじ６４が露出することになる。
【００５０】
グリップ本体５９の前面６９（先端部）には、一対の係合孔７０が設けられている。この係合孔７０は、グリップ本体５９の中心に対して対称に配置されている。これら係合孔７０は、後に詳述されるように、係止ピン６８が嵌め込まれるようになっている。
【００５１】
グリップリング６０は、樹脂、金属等により構成されており、その外形形状は、同図が示すように略錐体を呈する。具体的には、グリップリング６０は、小径頂部６５と大径底部６６とを有し、両者が連続するようにテーパが形成されている。グリップリング６０の中央には、軸方向に沿って貫通孔が設けられている。この貫通孔の内径寸法は上記第５番節５５の外径寸法に対応されており、グリップリング６０は、第５番節５５に隙間無く嵌め込まれている。グリップリング６０は、第５番節５５の後端部所定位置に、例えば接着剤等により固着されている。
【００５２】
上記大径底部６６の底面６７には、一対の係止ピン６８（刺針）が立設されている。これら係止ピン６８は、グリップリング６０と一体的に形成されており、グリップリング６０の軸方向に沿って（すなわち第５番節５５の長手方向に沿って）後方へ突出している。本実施形態では、係止ピン６８は、グリップリング６０の中心に対して対称に配置されている。各係止ピン６８の外径寸法は、上記係合孔７０の内径寸法に対応されており、各係止ピン６８は、それぞれ対応する係合孔７０に隙間無く嵌め込まれる。なお、係止ピン６８の数量については、何ら限定されるものではないが、上記係合孔７０は、係止ピン６８の数量に対応されている。
【００５３】
グリップ本体５９が第５番節５５に嵌め込まれると、上記係止ピン６８が上記係合孔７０に嵌め込まれ、且つグリップ本体５９の前面６９は、グリップリング６０の底面６７に当接する。これにより、グリップ本体５９は、第５番節５５の所定位置に正確に配置され、且つ第５番節５５に対して相対的に回転することが防止される。つまり、グリップ本体５９は、第５番節５５に対して位置決めされる。
【００５４】
本実施形態では、上記係止ピン６８と上記係合孔７０とが嵌合する構造が採用されているが、この構造に代えて、上記第１の実施形態に係る撒き餌用柄杓１０と同様に、爪２５、２６（図２参照）が採用されてもよいことは勿論である。その場合、グリップ本体５９が第５番節５５に嵌め込まれると、グリップ本体５９の前面６９に当該爪２５、２６が突き刺さり、且つ当該前面６９は、グリップリング６０の底面６７に当接する。これにより、グリップ本体５９は、第５番節５５の所定位置に正確に配置され、且つ第５番節５５に対して相対的に回転することが防止される。つまり、グリップ本体５９は、第５番節５５に対して位置決めされる。
【００５５】
尻栓６１は、金属により構成されている。尻栓６１は、小径部７１と大径部７２とを備えている。小径部７１は、円柱状に形成されており、その外径寸法は、第５番節５５の後端部の内径寸法に対応されている。この小径部７１の外周面には雄ねじ７３が形成されており、これにより小径部７１は、第５番節５５の後端部に螺合することができる。つまり、尻栓６１は、第５番節５５にねじ込まれるようになっている。
【００５６】
大径部７２は、小径部７１の後端に一体的に形成されている。大径部７２の外径寸法は、グリップ本体５９の外径寸法に対応されており、したがって、尻栓６１が第５番節５５にねじ込まれたときは、大径部７２の外周面は、グリップ本体５９の外周面と滑らかに連続する。大径部７２は、釣人が尻栓６１を第５番節５５にねじ込む際に手で把持する部分である。このため、大径部７２にローレット等の滑止手段が施されていてもよい。これにより、釣人は、尻栓６１を確実に第５番節５５にねじ込むことができ、簡単に取り外すことができる。
【００５７】
尻栓６１が第５番節５５にねじ込まれると、大径部７２がグリップ本体５９の後端に当接し、グリップ本体５９は、グリップリング６０と尻栓６１との間に挟み込まれる。すなわち、グリップリング６０と尻栓６１とが協働してグリップ本体５９を挟持固定する。これにより、グリップ本体５９は、第５番節５５の後端部に確実に固定される。
【００５８】
この釣竿５０では、グリップ本体５９が第５番節５５に嵌め込まれ、第５番節５５に設けられたグリップリング６０によってグリップ本体５９の位置決めがなされると共に尻栓６１とグリップリング６０とが協働してグリップ本体５９を固定する構造が採用されている。しかも、尻栓６１は、第５番節５５にねじ込まれているので、釣人は、所要時に尻栓６１を簡単に取り外すことができる。尻栓６１が第５番節５５から取り外されることによって、グリップ本体５９は、第５番節５５に対して後方へスライドすることができ、簡単に第５番節５５から抜き取られる。
【００５９】
したがって、釣人は、グリップ本体５９が劣化した場合等に、グリップ本体５９のみを新品と交換することができる。また、釣人は、仕様の異なる複数のグリップ本体を備えておけば、グリップ本体を交換することによって、実釣に適したグリップを構成することができる。
【００６０】
特に、本実施形態では、上記グリップリング６０が係止ピン６８を備えており、これらがグリップ本体５９に突き刺さることによって、グリップ本体５９の位置決めがきわめて容易に且つ確実に行われるという利点がある。また、グリップ本体５９を第５番節５５に固定するための尻栓６１は、第５番節５５に螺合する構造が採用されているので、尻栓６１の着脱作業もきわめて簡単であるという利点もある。
【００６１】
なお、本実施形態では、上記係止ピン６８又は爪２５、２６によって、上記グリップ本体５９の第５番節５５に対する回転規制が行われるが、これら係止ピン６８等に代えて、他の回転規制手段が採用されてもよいことは勿論である。
【００６２】
＜第３の実施形態＞
次に、本発明の第３の実施形態について説明される。
図７は、本発明の第３の実施形態に係るタモの柄の正面図である。このタモの柄８０は、タモ網を先端に取り付けることができるようになっている。釣人は、タモの柄８０を操作することによって、掛かった魚をタモ網ですくうことができる。
【００６３】
タモの柄８０は、細長円筒状に形成された「節」と称される部材を複数備えている。このタモの柄８０は、第１番節８１〜第４番節８４を有する。各節８１〜８４は柄本体を構成し、これらは、振出式に組み立てられている。第１番節８１の先端部にはタモ網固定部８５が設けられている。このタモ網固定部８５は、第１番節８１の先端部の内側に形成された雌ねじ部と、この第１番節８１の先端部を覆うように取り付けられたキャップ８６とを備えている。タモ網は、上記雌ねじ部に螺合されて固定される。タモの柄８０が収納状態（各節が隣り合う節の内部に収容された状態）となったときは、上記キャップ８６が第４番節８４の先端部に嵌め込まれるようになっている。なお、第２番節８２〜第４番節８４の先端には、補強リングＲ１〜Ｒ３が嵌め込まれている。
【００６４】
図８は、タモの柄８０の後端部の拡大分解斜視図である。
タモの柄８０の第４番節８４には、グリップ８８が設けられている（図７参照）。グリップ８８は、グリップ本体８９と、グリップリング９０（位置決め部材）と、尻栓９１（固定部材）とを備えている。
【００６５】
図８が示すように、グリップ本体８９は、細長円筒状に形成されている。グリップ本体８９は、釣人が把持する部分である。本実施形態では、グリップ本体８９の外周面は一様な曲面に形成されているが、釣人がグリップ本体８９を握った際に手が滑らないように、また握り心地が良いように、グリップ本体８９の外周面９２にローレットや溝が形成されていてもよい。なお、グリップ本体８９の外形形状は、釣人にとって把持しやすいものであれば、他の形状が採用され得る。
【００６６】
本実施形態では、グリップ本体８９は、発泡倍率が１〜１０倍のエチレン酢酸ビニル共重合体（ＥＶＡ）、クロロスルホン化ポリエチレン等からから構成されている。グリップ本体８９の材質は、これに限定されるものではなく、他の発泡樹脂（典型的には発泡ウレタン）、コルク、ゴム等が採用され得る。
【００６７】
同図が示すように、グリップ本体８９の内径寸法は、第４番節８４の後端部の外径寸法に対応されている。したがって、第４番節８４は、長手方向に沿って隙間無くグリップ本体８９に挿入されている。第４番節８４は、その後端９３がグリップ本体８９の後端と同一平面上に配置されるまで挿入される。第４番節８４の後端部の内壁面には雌ねじ９４が形成されている。したがって、第４番節８４にグリップ本体８９が嵌め込まれると、この雌ねじ９４が露出することになる。
【００６８】
グリップ本体８９の前面９９（先端部）には、一対の係合孔１００が設けられている。この係合孔１００は、グリップ本体８９の中心に対して対称に配置されている。これら係合孔１００は、後に詳述されるように、係止ピン９８が嵌め込まれるようになっている。
【００６９】
グリップリング９０は、樹脂、金属等により構成されており、その外形形状は、同図が示すように略錐体を呈する。具体的には、グリップリング９０は、小径頂部９５と大径底部９６とを有し、両者が連続するようにテーパが形成されている。グリップリング９０の中央には、軸方向に沿って貫通孔が設けられている。この貫通孔の内径寸法は上記第４番節８４の外径寸法に対応されており、グリップリング９０は、第４番節８４に隙間無く嵌め込まれている。グリップリング９０は、第４番節８４の所定位置に、例えば接着剤等により固着されている。
【００７０】
上記大径底部９６の底面９７には、一対の係止ピン９８（刺針）が立設されている。これら係止ピン９８は、グリップリング９０と一体的に形成されており、グリップリング９０の軸方向に沿って（すなわち第４番節８４の長手方向に沿って）後方へ突出している。本実施形態では、係止ピン９８は、グリップリング９０の中心に対して対称に配置されている。各係止ピン９８の外径寸法は、上記係合孔１００の内径寸法に対応されており、各係止ピン９８は、それぞれ対応する係合孔１００に隙間無く嵌め込まれる。なお、係止ピン９８の数量については、何ら限定されるものではないが、上記係合孔１００は、係止ピン９８の数量に対応されている。
【００７１】
グリップ本体８９が第４番節８４に嵌め込まれると、上記係止ピン９８が上記係合孔１００に嵌め込まれ、且つグリップ本体８９の前面９９は、グリップリング９０の底面９７に当接する。これにより、グリップ本体８９は、第４番節８４の所定位置に正確に配置され、且つ第４番節８４に対して相対的に回転することが防止される。つまり、グリップ本体８９は、第４番節８４に対して位置決めされる。
【００７２】
本実施形態では、上記係止ピン９８と上記係合孔１００とが嵌合する構造が採用されているが、この構造に代えて、上記第１の実施形態に係る撒き餌用柄杓１０と同様に、爪２５、２６（図２参照）が採用されてもよいことは勿論である。その場合、グリップ本体８９が第４番節８４に嵌め込まれると、グリップ本体８９の前面９９に当該爪２５、２６が突き刺さり、且つ当該前面９９は、グリップリング９０の底面９７に当接する。これにより、グリップ本体８９は、第４番節８４の所定位置に正確に配置され、且つ第４番節８４に対して相対的に回転することが防止される。つまり、グリップ本体５９は、第５番節５５に対して位置決めされる。
【００７３】
尻栓９１は、金属により構成されている。尻栓９１は、小径部１０１と大径部１０２とを備えている。小径部１０１は、円柱状に形成されており、その外径寸法は、第４番節８４の後端部の内径寸法に対応されている。この小径部１０１の外周面には雄ねじ１０３が形成されており、これにより小径部１０１は、第４番節８４の後端部に螺合することができる。つまり、尻栓９１は、第４番節８４にねじ込まれるようになっている。
【００７４】
大径部１０２は、小径部１０１の後端に一体的に形成されている。大径部１０２の外径寸法は、グリップ本体８９の外径寸法に対応されており、したがって、尻栓９１が第４番節８４にねじ込まれたときは、大径部１０２の外周面は、グリップ本体８９の外周面と滑らかに連続する。大径部１０２は、釣人が尻栓９１を第４番節８４にねじ込む際に手で把持する部分である。このため、大径部１０２にローレット等の滑止手段が施されていてもよい。これにより、釣人は、尻栓９１を確実に第４番節８４にねじ込むことができ、簡単に取り外すことができる。
【００７５】
尻栓９１が第４番節８４にねじ込まれると、大径部１０２がグリップ本体８９の後端に当接し、グリップ本体８９は、グリップリング９０と尻栓９１との間に挟み込まれる。すなわち、グリップリング９０と尻栓９１とが協働してグリップ本体８９を挟持固定する。これにより、グリップ本体８９は、第４番節８４の後端部に確実に固定される。
【００７６】
このタモの柄８０では、グリップ本体８９が第４番節８４に嵌め込まれ、第４番節８４に設けられたグリップリング９０によってグリップ本体８９の位置決めがなされると共に尻栓９１とグリップリング９０とが協働してグリップ本体８９を固定する構造が採用されている。しかも、尻栓９１は、第４番節８４にねじ込まれているので、釣人は、所要時に尻栓９１を簡単に取り外すことができる。尻栓９１が第４番節８４から取り外されることによって、グリップ本体８９は、第４番節８４に対して後方へスライドすることができ、簡単に第４番節８４から抜き取られる。
【００７７】
したがって、釣人は、グリップ本体８９が劣化した場合等に、グリップ本体８９のみを新品と交換することができる。また、釣人は、仕様の異なる複数のグリップ本体を備えておけば、グリップ本体を交換することによって、実釣に適したグリップを構成することができる。
【００７８】
特に、本実施形態では、上記グリップリング９０が係止ピン９８を備えており、これらがグリップ本体８９に突き刺さることによって、グリップ本体８９の位置決めがきわめて容易に且つ確実に行われるという利点がある。また、グリップ本体８９を第４番節８４に固定するための尻栓９１は、第４番節８４に螺合する構造が採用されているので、尻栓９１の着脱作業もきわめて簡単であるという利点もある。
【００７９】
なお、本実施形態では、上記係止ピン９８又は爪２５、２６によって、上記グリップ本体８９の第４番節８４に対する回転規制が行われるが、これら係止ピン９８等に代えて、他の回転規制手段が採用されてもよいことは勿論である。
【産業上の利用可能性】
【００８０】
本発明は、釣竿、タモの柄、撒き餌用柄杓、撒き餌ミキサー等の釣具に適用され得る。
【図面の簡単な説明】
【００８１】
【図１】図１は、本発明の第１の実施形態に係る撒き餌用柄杓の正面図である。
【図２】図２は、本発明の第１の実施形態に係る撒き餌用柄杓の後端部の拡大分解斜視図である。
【図３】図３は、本発明の第１の実施形態に係る撒き餌用柄杓の後端部の拡大分解斜視図である。
【図４】図４は、本発明の第１の実施形態の変形例に係る撒き餌用柄杓の要部拡大分解斜視図である。
【図５】図５は、本発明の第２の実施形態に係る釣竿の正面図である。
【図６】図６は、本発明の第２の実施形態に係る釣竿の後端部の拡大分解斜視図である。
【図７】図７は、本発明の第３の実施形態に係るタモの柄の正面図である。
【図８】図８は、本発明の第３の実施形態に係るタモの柄の後端部の拡大分解斜視図である。
【符号の説明】
【００８２】
１０・・・撒き餌用柄杓
１１・・・柄部
１２・・・カップ
１３・・・グリップ
１４・・・雌ねじ
１５・・・グリップ本体
１６・・・グリップリング
１７・・・尻栓
１８・・・周面
１９・・・溝
２０・・・柄部の後端
２１・・・グリップ本体の後端
２２・・・小径頂部
２３・・・大径底部
２４・・・底面
２５・・・爪
２６・・・爪
２７・・・グリップ本体の前面
２８・・・小径部
２９・・・大径部
３１・・・雄ねじ
４０・・・撒き餌用柄杓
４１・・・グリップリング
４２・・・グリップ本体
４３・・・係止ピン
４４・・・係合孔
５０・・・釣竿
５５・・・第５番節
５８・・・グリップ
５９・・・グリップ本体
６０・・・グリップリング
６１・・・尻栓
６２・・・グリップリングの外周面
６３・・・後端
６４・・・雌ねじ
６５・・・小径頂部
６６・・・大径底部
６７・・・底面
６８・・・係止ピン
６９・・・前面
７０・・・係合孔
７１・・・小径部
７２・・・大径部
７３・・・雄ねじ
８０・・・タモの柄
８４・・・第４番節
８８・・・グリップ
８９・・・グリップ本体
９０・・・グリップリング
９１・・・尻栓
９２・・・グリップリングの外周面
９３・・・後端
９４・・・雌ねじ
９５・・・小径頂部
９６・・・大径底部
９７・・・底面
９８・・・係止ピン
９９・・・前面
１００・・・係合孔
１０１・・・小径部
１０２・・・大径部
１０３・・・雄ねじ
【図１】
2005269989.tif 000003
【図２】
2005269989.tif 000004
【図３】
2005269989.tif 000005
【図４】
2005269989.tif 000006
【図５】
2005269989.tif 000007
【図６】
2005269989.tif 000008
【図７】
2005269989.tif 000009
【図８】
2005269989.tif 000010